(57)【要約】      （修正有）【課題】所定の側方回転を有利に可能にする整形外科用の関節ジョイントを提供する。【解決手段】２つの羽根を有するフォーク状の端部１３を備える第１の片側部品１２、および、フォーク状の端部へと挿入することができるオス端部１５を備える第２の片側部品１４からなり、前記端部１３、１５が、互いにピン１６によってヒンジ接続されて、前記ピン１６を中心として角変位可能であり、少なくとも１つのリング状の挿入物２０が、前記フォーク状の端部および前記オス端部１５の対面する壁面間に介装され、前記挿入物が、所定の曲がりの凸面を、前記フォークの前記羽根に向けて備えている。【選択図】図１
2005131404.tif 000002
【特許請求の範囲】
【請求項１】
２つの羽根（１３ａ）を有するフォーク状の端部（１３）を備える第１の片側部品（１２）、および、フォーク（１３）へと挿入することができるオス端部（１５）を備える第２の片側部品（１４）からなり、
前記端部（１３、１５）が、互いにピン（１６）によってヒンジ接続されて、該ピン（１６）を中心として角変位可能であり、
少なくとも１つのリング状の挿入物（２０）が、前記フォーク（１３）および前記オス端部（１５）の対面する壁面間に介装されるとともに、前記ピン（１６）の周りに組み込まれている
整形外科用の関節ジョイント（１０）であって、
前記挿入物（２０）が、所定の曲がりの凸面（２４）を、前記フォーク（１３）の前記羽根（１３ａ）に向けて備えている
ことを特徴とする関節ジョイント（１０）。
【請求項２】
前記凸面（２４）が、事実上円柱形の表面の一部分であり、該円柱が、前記ピン（１６）の軸（Ｚ‐Ｚ）に対して事実上直交する軸を有していることを特徴とする請求項１に記載の関節ジョイント（１０）。
【請求項３】
前記円柱形の表面の曲がりの半径（Ｒ）が、前記フォーク（１３）の前記２つの羽根（１３ａ）の間の間隔の４〜１０倍の範囲からなることを特徴とする請求項２に記載の関節ジョイント（１０）。
【請求項４】
前記ピン（１６）が、前記フォーク（１３）および前記オス端部（１５）のそれぞれの貫通穴（１７、１８）を通過して、前記フォーク（１３）と前記オス端部（１５）を接続していることを特徴とする請求項１に記載の関節ジョイント（１０）。
【請求項５】
前記フォーク（１３）の前記２つの羽根（１３ａ）のそれぞれが、それぞれの貫通穴（１７）を有し、該２つの貫通穴（１７）が、事実上同軸であることを特徴とする請求項１または４に記載の関節ジョイント（１０）。
【請求項６】
前記ピン（１６）が、ジョイント（１０）の中心出しのための凹所（１６ｂ）を備える基準用の頭部（１６ａ）を有していることを特徴とする請求項１に記載の関節ジョイント（１０）。
【請求項７】
前記基準用の頭部（１６ａ）と反対側の端部に、前記ピン（１６）を引き抜くためのポンチの当接を助けるために適した凸面が設けられていることを特徴とする請求項６に記載の関節ジョイント（１０）。
【請求項８】
前記フォーク（１３）の前記２つの羽根（１３ａ）の前記穴（１７）の直径が相違しており、一方の穴（１７）が前記ピン（１６）の遊びありでの挿入を可能にし、一方、他方の穴（１７）に前記ピン（１６）が締まりばめで係合することを特徴とする請求項５に記載の関節ジョイント（１０）。
【請求項９】
前記フォーク（１３）の穴（１８）の直径が、前記ピン（１６）の直径に対して所定の遊びを有していることを特徴とする請求項４または８に記載の関節ジョイント（１０）。
【請求項１０】
前記挿入物（２０）が、低摩擦かつ高耐磨耗性の材料で作られていることを特徴とする請求項１に記載の関節ジョイント（１０）。
【請求項１１】
前記材料がピーク・オプティマ（登録商標）であることを特徴とする請求項１０に記載の関節ジョイント（１０）。
【請求項１２】
前記材料が超高分子量ポリエチレンＵＨＭＷＰＥであることを特徴とする請求項１０に記載の関節ジョイント（１０）。
【請求項１３】
前記材料がアルミニウムであることを特徴とする請求項１０に記載の関節ジョイント（１０）。
【請求項１４】
前記挿入物（２０）が２つであり、これら２つが鏡像の関係であり、前記オス端部（１５）の両側に位置しており、したがって前記フォーク（１３）の前記２つの羽根（１３ａ）のそれぞれにそれぞれ１つが位置していることを特徴とする請求項１に記載の関節ジョイント（１０）。
【請求項１５】
前記挿入物（２０）が、実質的に穴あきの板であり、前記オス端部（１５）に当接する側に基本的に平坦な表面（２２）を有する一方、反対側に前記凸面（２４）を有していることを特徴とする請求項１に記載の関節ジョイント（１０）。
【請求項１６】
前記穴あき板の穴（２６）が、前記オス端部（１５）の前記貫通穴（１８）に位置していることを特徴とする請求項１５に記載の関節ジョイント（１０）。
【請求項１７】
前記基本的に平坦な表面（２２）がもたらされている側において、前記オス端部（１５）の前記貫通穴（１８）へと挿入されるための寸法とされた事実上円筒形の鍔（２８）が、前記穴（２６）の周囲に突き出していることを特徴とする請求項１６に記載の関節ジョイント（１０）。
【請求項１８】
前記穴あき板の前記穴（２６）の内側が、前記凸面（２４）に向かって広がる円錐台形状に面取りされていることを特徴とする請求項１７に記載の関節ジョイント（１０）。
【請求項１９】
前記２つの片側部品（１２、１４）の所定の最大角変位（α）を規定するため、前記２つの片側部品（１２、１４）の間に停止手段が設けられていることを特徴とする請求項１に記載の関節ジョイント（１０）。
【請求項２０】
前記最大角変位（α）が約９０°であることを特徴とする請求項１９に記載の関節ジョイント（１０）。
【請求項２１】
前記挿入物（２０）が、前記オス端部（１５）の所定位置へと位置決めするための手段を備えており、該手段が、前記第２の片側部品（１４）における前記挿入物（２０）の所定の配向を定めていることを特徴とする請求項１に記載の関節ジョイント（１０）。
【請求項２２】
前記所定位置へと位置決めするための手段が、前記挿入物（２０）の前記基本的に平坦な表面（２２）に直交する平坦な当接面（３０）からなり、該当接面（３０）が前記オス端部（１５）に形成された同様の表面に対応することを特徴とする請求項１５および２１に記載の関節ジョイント（１０）。
【請求項２３】
前記挿入物（２０）が、結合手段によって前記オス端部（１５）と一体とされていることを特徴とする請求項１に記載の関節ジョイント（１０）。
【請求項２４】
前記結合手段が化学式の結合手段であることを特徴とする請求項２３に記載の関節ジョイント（１０）。
【請求項２５】
前記結合手段が機械式の結合手段であることを特徴とする請求項２３に記載の関節ジョイント（１０）。
【請求項２６】
前記挿入物（２０）と前記オス端部（１５）が、一体とされていることを特徴とする請求項１に記載の関節ジョイント（１０）。
【発明の詳細な説明】
【技術分野】
【０００１】
本発明は、より一般的な態様において、整形外科用の関節ジョイントに関する。
【０００２】
とくに、本発明は、フォーク状の端部を備えた第１の片側部品、およびこのフォークへと挿入できるオス端部を備えた第２の片側部品からなり、これらの端部が互いにヒンジ接続されている関節ジョイントに関する。
【０００３】
このような関節ジョイントの整形外科における使用の典型的な例は、人工関節における使用、すなわち負傷した関節の機能を取り戻すために適した機械的な装置における使用である。
【０００４】
以下では、本発明がこの例に限られるわけではないが、とくに、中手骨と指節骨の間、または２つの指節骨の間、あるいは２つの趾節骨の間の関節を再現する人工関節の例について述べる。この場合には、ジョイントの２つの片側部品が、再接続される２つの骨にそれぞれ組み合わされ、関節ジョイントの２つのジョイント端のヒンジ動作によって関節の機能が取り戻される。
【背景技術】
【０００５】
中手骨と指節骨の間あるいは２つの節骨の間の関節を再現するため、公知の関節ジョイントは、２枚羽根のフォーク状の端部を備えた第１の片側部品、およびこのフォークへと挿入できるオス端部を備えた第２の片側部品からなり、前記端部らがピンによって互いにヒンジ接続されている。したがって、接続された２つの骨が、対称なピン軸をほぼ中心として、双方向に角変位する能力を取り戻す。
【０００６】
関節ジョイントの寿命が、可能な限り長くなければならないことは明らかであり、したがって、ブシュなど、低摩擦かつ高耐磨耗性の材料から作られ、ピンの周囲に組み込まれるリング状の挿入物が少なくとも１つ、接続されたジョイントの２つの端部の間に使用される。
【０００７】
上記で概説したとおり構成された関節ジョイントは、さまざまな観点において利点を有し、所定の面（対称なピンの軸にほぼ直交する面）内における角変位を可能にするという目的に応えているものの、関節の完全かつ生理学的な機能回復のためには所定の側方への角変位も許容されなければならないのに反して、この対称のピン軸に沿って中心を置く面に対し、側方への角変位を許容しないという副次的欠点がある。
【発明の開示】
【発明が解決しようとする課題】
【０００８】
本発明の根底にある課題は、先行技術に関して述べた前記欠点を克服することができる整形外科用関節ジョイントを提供することにある。
【課題を解決するための手段】
【０００９】
この課題は、本発明に従い、前記したような整形外科用の関節ジョイントであって、前記挿入物が所定の曲がりを有する凸面を前記フォークの羽根に向けて備えている関節ジョイントによって解決される。
【００１０】
本発明による整形外科用関節ジョイントのさらなる特徴および利点は、添付の図面を参照しつつ行なわれる本発明の一実施の形態に関する以下の説明から、明らかになるであろう。なお、以下の説明はあくまで一例であって、本発明をこれに限定するものではない。
【発明を実施するための最良の形態】
【００１１】
図面を参照すると、本発明による整形外科用関節ジョイントが示されており、全体が参照番号１０で示されている。
【００１２】
ジョイント１０は、２つの羽根１３ａを有するフォーク状の端部１３を備え、例えば近位骨と組み合わされる第１の片側部品１２、および、フォーク１３へと挿入することができるオス端部１５を備え、例えば遠位骨へと組み合わされる第２の片側部品１４からなり、これらの端部が互いにピン１６によってヒンジ接続されている。したがって、２つの片側部品１２および１４にそれぞれ接続された近位骨および遠位骨は、軸Ｚ‐Ｚを有するピン１６を中心として双方向に角度変位することができる。
【００１３】
あるいは、第１の片側部品１２を遠位骨に、第２の片側部品１４を近位骨に組み立てることができ、本発明のジョイント１０が、常に以下で述べるものと同じ形式のものであることが示されている。図面の例においては、ピン１６が、フォーク１３およびオス端部１５のそれぞれの貫通穴１７および１８を貫通して、フォーク１３とオス端部１５を接続している。図示の例においては、フォーク１３の２つの羽根１３ａのそれぞれが、それぞれの貫通穴１７を有しており、２つの貫通穴１７はほぼ同軸である。
【００１４】
ピン１６は、ジョイント１０の中心出しのため、および、例えばピン１６を挿入するために適した工具を安定なやり方で位置させるため、凹所１６ｂを備える基準用の頭部１６ａを有している。基準用の頭部１６ａと反対側の端部には、ピン１６を引く抜くためのポンチの当接を助けるために適した凸面が備えられている。
【００１５】
フォーク１３の２つの羽根１３ａの穴１７の直径が同一でないことを述べておかねばならない。一方の穴１７が、遊びありでのピン１６の挿入を可能にする一方で、ピン１６が、もう１つの穴１７と締まりばめで係合する。穴１８の直径は、ピン１６の直径に対して所定の遊びを有している。
【００１６】
リング状の挿入物２０が少なくとも１つ、低摩擦かつ高耐磨耗性の材料で作られ、ピン１６の周囲に組み込まれて、フォーク１３とオス端部１５の対向する面の間に介装されている。この材料は、例えばピーク・オプティマ（Ｐｅｅｋ  Ｏｐｔｉｍａ）（登録商標）、または超高分子量ポリエチレンＵＨＭＷＰＥ、あるいはアルミニウムである。
【００１７】
図示の例では、挿入物２０は２つであって、それら２つが鏡像の関係であって、オス端部１５の両側に位置しており、したがって、それぞれ１つがフォーク１３の羽根１３ａのそれぞれに位置している。
【００１８】
本発明の一態様によれば、前記少なくとも１つの挿入物２０が、実質的に穴あきの板であって、オス端部１５に当接する側に基本的に平坦な表面２２を有し、一方、フォーク１３の羽根１３ａに面する反対側に、所定の曲がりを有する凸面２４を有している。好ましくは、この凸面２４が、実質的に円柱の表面の一部分であって、この円柱が、前記ピン１６の軸Ｚ‐Ｚにほぼ直交する軸を有している（図面において、鉛直面上におけるこの軸の経路が符号Ｃで示されている）。例えば、この円柱面の曲がりの半径Ｒは、フォーク１３の２つの羽根１３ａの間の間隔の４〜１０倍の範囲からなる。詳細には、これに限られるわけではないが、中手骨と指節骨の間の関節、または２つの指節骨の間の関節を再現する人工関節の例に関しては、曲がりの半径Ｒに一般的に使用される平均値は４ｍｍである。
【００１９】
挿入物２０の穴２６は、オス端部１５の貫通穴１８に位置している。より詳しくは、基本的に平坦な表面２２がもたらされている側において、オス端部１５の貫通穴１８に挿入される寸法とされたほぼ円筒形の鍔２８が、この穴２６の周囲に突き出している。穴２６の内側には、凸面２４の部分に向かって広がる円錐台形状の面取りがなされている。
【００２０】
図面において、鍔２８に、例えば第２の片側部品１４の組立工程において工具が通過できるようにするために適した素材の欠損部分が示されている。
【００２１】
２つの片側部品１２および１４に所定の最大角変位αを規定するため、２つの片側部品１２および１４の間に停止手段が設けられていることを、明記しておかなければならない。好ましくは、最大角変位αは約９０°である。
【００２２】
さらに、挿入物２０は、オス端部１５上に所定に位置するための手段を備えており、オス端部１５上における挿入物２０の所定の向きを定め、挿入物２０と第２の片側部品１４との間の相対回転を防止している。図面において、これら所定位置への位置決め手段は、挿入物の基本的に平坦な表面２２に対して直交している平坦な当接面３０であって、オス端部１５に形成された同様の平面と対応する当接面３０から構成されている。
【００２３】
本発明の他の実施の形態では、例えば化学式（適当な接着剤など）または機械式（挿入物２０とオス端部１５の間のそれぞれのねじなど）の結合手段によって、挿入物２０を前記オス端部１５と一体にしている。
【００２４】
本発明のさらに別の実施の形態では、前記挿入物２０を前記オス端部１５と一体にして製造する。
【００２５】
本発明による整形外科用関節ジョイントの動作を、以下で説明する。
【００２６】
まず、２つの片側部品１２および１４と対応する近位および遠位骨との間の接続を行なう。
【００２７】
フォーク１３およびオス端部１５の貫通穴１７および１８を整列させたのち、２つの挿入物２０を介装することに注意を払いつつ、ピン１６を貫通させる。
【００２８】
すでに述べたように、挿入物２０はそれぞれ、ほぼ円筒形の鍔２８がオス端部１５の貫通穴１８内にあり、したがって凸面２４がフォーク１３の羽根１３ａの内壁面に向いた状態で、位置している。
【００２９】
実際に、凸面２４によって、ジョイント１０が、前述のとおりピン１６の軸Ｚ‐Ｚにほぼ直交する面である第１の片側部品１２の第２の片側部品１４の周りの自然の回転面に対し、側方へと小さな角変位βを許容することができる点に注目できる。
【００３０】
ピン１６の軸Ｚ‐Ｚにほぼ直交する軸Ｙ‐Ｙを中心として生じるこの側方への角変位βは、あらかじめ定められており、あくまで一例であるが、前記平面の片側に５°かつ反対側に５°であることができる。
【００３１】
本発明による整形外科用関節ジョイントによってもたらされる主な利点は、整形外科手術を行なった関節について、通常ではありえない完全な機能回復を可能にし、さらに所定の側方への回転がもたらされる点にある。
【００３２】
特定的および付随的なニーズを満足するため、当業者であれば、ここで述べた整形外科用関節ジョイントにいくつかの変形を加えることが可能であり、それらはすべて、以下の特許請求の範囲に定める本発明の保護の範囲に含まれる。
【図面の簡単な説明】
【００３３】
【図１】本発明による整形外科用関節ジョイントの概略の斜視図である。
【図２】図１のジョイントの別の視点からの概略の斜視図である。
【図３】図１のジョイントの分解斜視図である。
【図４】図３の詳細についての拡大斜視図である。
【図５】（ａ）は、図４の詳細についての平面図である。（ｂ）は、図４の詳細についての側面立面図である。（ｃ）は、図４の詳細についての側面立面図であり、図５（ｂ）の視点と反対の視点から見た図である。（ｄ）は、図５（ａ）の詳細についての断面図であり、図５（ａ）の矢視VIII‐VIII面に従って見た図である。
【図１】
2005131404.tif 000003
【図２】
2005131404.tif 000004
【図３】
2005131404.tif 000005
【図４】
2005131404.tif 000006
【図５】
2005131404.tif 000007
【外国語明細書】
Field of application
The present invention relates in its more general aspect to an articulated joint for orthopaedic use.
In particular, this invention relates to an articulated joint comprising a first half part, equipped with a fork-shaped end, and a second half part, equipped with a male end which can be inserted in the fork, said ends being hinged to each other.
A typical example of orthopaedic use of such articulated joints is the use in articular prosthesis and i.e. in mechanical devices suitable for recovering the functionality of an injured articulation.
Reference is made in particular to the non limiting example of an articular prosthesis reconstructing an articulation between the metacarpus and a phalanx or between two phalanxes of an hand or a foot. In this case, the two joint half parts are associated to the two respective bones to be reconnected, the hinging of the two articulated joint ends recovering the articulation functionality.
Prior art
To reconstruct the articulation between the metacarpus and a phalanx or between two phalanxes, known articulated joint comprises a first half part, equipped with a two-wing fork-shaped end, and a second half part, equipped with a male end which can be inserted in the fork, said ends being hinged to each other by means of a pin. Therefore, the two bones being connected reacquire the ability of moving angularly, reciprocally, substantially around the pin axis of symmetry.
It is evident that the service life of the articulated joint must be as long as possible, therefore at least one ring-shaped insert such as a bush, being assembled around the pin and made of a low-friction and highly wearproof material, is used between the two connected ends of the joint.
Although advantageous under different points of view and responding to the aim of allowing angular displacements on a predetermined plane (which is a plane being substantially perpendicular to the pin axis of symmetry), an articulated joint arranged as above schematically described has the side-drawback of preventing any lateral angular displacement with respect to this plane, centred along the pin axis of symmetry, while a predetermined lateral angular displacement must also be allowed for a total and physiological rehabilitation of the articulation.
Summary of the invention
The problem underlying the present invention is to provide an articulated joint for orthopaedic use, capable of overcoming the drawbacks mentioned with reference to the prior art.
The problem is solved, according to the present invention, by an articulated joint for orthopaedic use, as above described and characterised in that said insert is equipped with a convex surface, having a predetermined bending, facing said fork wing.
Further features and the advantages of the articulated joint for orthopaedic use, according to the present invention, will be apparent from the following description of an embodiment thereof made with reference to the attached drawings, given by way of non-limiting example.
Brief description of the drawings
Figure 1 is a schematic perspective view of an articulated joint for orthopaedic use according to the invention.
Figure 2 is a schematic perspective view of the joint of figure 1, from a different lookout point.
Figure 3 is an exploded perspective view of the joint of figure 1.
Figure 4 is an enlarged-scale perspective view of a detail of figure 3.
Figure 5(a) is a plan view of the detail of figure 4.
Figure 5(b) is a side-elevation view of the detail of figure 4.
Figure 5(c) is a side-elevation view of the detail of figure 4, taken from an opposite lookout point with respect to that of figure 5(b).
Figure 5(d) is a cross section of the detail of figure 5(a), taken according to the traced VIII-VIII plane of figure 5(a).
Detailed description of a preferred embodiment
With reference to the drawings, an articulated joint for orthopaedic use is shown, according to the present invention and globally indicated with 10.
The joint 10 comprises a first half part 12 to be associated for example to a proximal bone, equipped with a fork-shaped end 13 with two wings 13a, and a second half part 14 to be associated for example to a distal bone, equipped with a male end 15 which can be inserted in the fork 13, said ends being hinged to each other by means of a pin 16. Therefore, the proximal bone and the distal bone, connected to the two half parts 12 and 14 respectively, can move angularly, reciprocally, around the pin 16, having axis Z-Z.
It is shown that it is alternatively possible to assemble the first half part 12 on the distal bone and the second half part 14 on the proximal bone, the joint 10 of the invention always being obviously of the same type as described hereafter. In the example of the drawings, the pin 16 connects the fork 13 and the male end 15 passing through respective through holes 17 and 18 of the fork 13 and of the male end 15. In the example shown, each of the two wings 13a of the fork 13 has a respective through hole 17, the two through holes 17 being substantially coaxial.
The pin 16 has a reference head 16a, with a recess 16b for centring the joint 10, and, for example, for positioning in a stable way a tool suitable for inserting the pin 16. An opposite end to the reference head 16a is equipped with a convex surface, suitable for favouring the abutment of a punch for extracting the pin 16.
It must be specified that the diameters of the holes 17 of the two wings 13a of the fork 13 are not identical: a hole 17 allows the pin 16 to be inserted with backlash, while the pin 16 engages in the other hole 17 with interference. The diameter of the hole 18 has a predetermined backlash with respect to the diameter of the pin 16.
At least one ring-shaped insert 20 is interposed between facing walls of the fork 13 and of the male end 15, it is assembled around the pin 16 and it is made of a low-friction and highly wearproof material. This material is for example Peek Optima (Registered) or ultra-high-molecular-weight polyethylene UHMWPE or aluminium.
In the example shown, the inserts 20 are two, they are specular and located at two opposite sides of the male end 15, each one being thus located at each wing 13a of the fork 13.
According to an aspect of the present invention, said at least one insert 20 is substantially a holed plate: it has a fundamentally flat surface 22 on the side abutting on the male end 15, while it has a convex surface 24 of predetermined bending on the opposite side, which faces said wing 13a of the fork 13. Preferably, said convex surface 24 is substantially a portion of cylindrical surface, said cylinder having the axis being substantially perpendicular to the axis Z-Z of said pin 16 (in the drawings, the trace of this axis on a perpendicular plane thereof is indicated with C). For example, the bending radius R of said cylindrical surface is comprised in a range of four-ten times the distance between the two wings 13a of the fork 13: in particular, with reference to the non-limiting example of an articular prosthesis reconstructing an articulation between the metacarpus and a phalanx or between two phalanxes of an hand, a mean value generally used for the bending radius R is 4 mm.
The hole 26 of the insert 20 is located at the through hole 18 of the male end 15. More precisely, on the side providing the fundamentally flat surface 22, a substantially cylindrical collar 28, which is sized to be inserted in the through hole 18 of the male end 15, projects around this hole 26: the hole 26 is internally frusto-conical, countersunk towards the portion of convex surface 24.
In the drawings, the collar 28 is shown with a lack of material, for example suitable for allowing a tool to pass in an assembly step of the second half part 14.
It must be specified that stopping means are provided between the two half parts 12 and 14 to define a predetermined maximum angular displacement α of the two half parts 12 and 14. Preferably, the maximum angular displacement α is approximately 90°.
Moreover, the inserts 20 are equipped with means for a predetermined positioning on the male end 15, defining a predetermined orientation of said inserts 20 on the male end 15, preventing a relative rotation between the inserts 20 and the second half part 14. In the drawings, these means for a predetermined positioning comprise a flat abutment surface 30, being orthogonal to the insert fundamentally flat surface 22, corresponding to a similar surface formed on the male end 15. 
An alternative embodiment of the present invention is to make the inserts 20 integral with said male end 15 through association means, for example of chemical type (such as convenient adhesives) or of mechanical type (such as respective threads between inserts 20 and male end 15).
A further alternative embodiment of the present invention is to produce said inserts 20 enbloc, integrated with said male end 15.
The operation of the articulated joint for orthopaedic use according to the invention is specified hereafter.
First, connections are created between the two half parts 12 and 14 and the respective proximal and distal bones.
Once the through holes 17 and 18 of the fork 13 and of the male end 15 have been aligned, the pin 16 is passed therethrough, caring for interposing the two inserts 20.
As already mentioned, each insert 20 is located with the substantially cylindrical collar 28 in the through hole 18 of the male end 15, the convex surface 24 facing thus the inner wall of a wing 13a of the fork 13.
In practise, it can be noticed that, by means of the convex surfaces 24, the joint 10 can allow small lateral angular displacements β with respect to the natural rotation plane of the first half part 12 around the second half part 14, the plane being, as mentioned, substantially perpendicular to the axis Z-Z of the pin 16.
These lateral angular displacements β, occurring around an axis Y-Y being substantially perpendicular to the axis Z-Z of the pin 16, are predetermined and, by way of example, they can be of 5° on one side of said plane and of 5° on the other side.
The main advantage achieved by the articulated joint for orthopaedic use according to the present invention is that it allows an unusually complete rehabilitation of the articulation whereon the orthopaedic operation has been performed, predetermined lateral rotations being also provided.
Obviously, to meet specific and contingent needs, a skilled in the art could make several changes to the above-described articulated joint for orthopaedic use, all comprised however in the scope of protection of the present invention, as defined in the following claims.
CLAIMS
1.            Articulated joint (10) for orthopaedic use, comprising a first half part (12), equipped with a fork-shaped end (13) with two wings (13a), and a second half part (14), equipped with a male end (15) which can be inserted in the fork (13), said ends (13, 15) being hinged to each other by means of a pin (16) and thus angularly movable around said pin (16), at least one ring-shaped insert (20) being interposed between facing walls of said fork (13) and of said male end (15), said at least one insert (20) being assembled around said pin (16), characterised in that said insert (20) is equipped with a convex surface (24), of predetermined bending, facing said wing (13a) of the fork (13).
2.            Articulated joint (10) according to claim 1, characterised in that said convex surface (24) is substantially a portion of cylindrical surface, said cylinder having an axis being substantially perpendicular to the axis (Z-Z) of said pin (16).
3.            Articulated joint (10) according to claim 2, characterised in that the bending radius (R) of said cylindrical surface is comprised in a range of four-ten times the distance between the two wings (13a) of the fork (13).
4.            Articulated joint (10) according to claim 1, characterised in that said pin (16) connects said fork (13) and said male end (15) passing through respective through holes (17, 18) of said fork (13) and of said male end (15).
5.            Articulated joint (10) according to claim 1 or 4, characterised in that each of said two wings (13a) of the fork (13) has a respective through hole (17), the two through holes (17) being substantially coaxial.
6.            Articulated joint (10) according to claim 1, characterised in that said pin (16) has a reference head (16a), with a recess (16b) for centring said joint 10.
7.            Articulated joint (10) according to claim 6, characterised in that an opposite end to said reference head (16a) is equipped with a convex surface, suitable for favouring the abutment of a punch for extracting said pin (16).
8.            Articulated joint (10) according to claim 5, characterised in that the diameters of said holes (17) of the two wings (13a) of the fork (13) are different, an hole (17) allowing said pin (16) to be inserted with backlash, while said pin (16) engaging in the other hole (17) with interference.
9.            Articulated joint (10) according to claim 4 or 8, characterised in that the diameter of a hole (18) of said fork (13) has a predetermined backlash with respect to the diameter of said pin (16).
10.            Articulated joint (10) according to claim 1, characterised in that said insert (20) is made of a low-friction and highly wearproof material.
11.            Articulated joint (10) according to claim 10, characterised in that said material is Peek Optima (Registered).
12.            Articulated joint (10) according to claim 10, characterised in that said material is ultra-high-molecular-weight polyethylene UHMWPE.
13.            Articulated joint (10) according to claim 10, characterised in that said material is aluminium.
14.            Articulated joint (10) according to claim 1, characterised in that said inserts (20) are two, they are specular and located at two opposite sides of said male end (15), each one being thus located at each wing (13a) of the fork (13).
15.            Articulated joint (10) according to claim 1, characterised in that said insert (20) is substantially a holed plate, having a fundamentally flat surface (22) on the side abutting on the male end (15), while it has said convex surface (24) on the opposite side.
16.            Articulated joint (10) according to claim 15, the hole (26) of the holed plate is located at the through hole (18) of the male end (15).
17.            Articulated joint (10) according to claim 16, characterised in that on the side providing said fundamentally flat surface (22) a substantially cylindrical collar (28), which is sized to be inserted in the through hole (18) of the male end (15), projects around said hole (26).
18.            Articulated joint (10) according to claim 17, characterised in that said hole (26) of the holed plate is internally frusto-conical, countersunk towards said convex surface (24).
19.            Articulated joint (10) according to claim 1, characterised in that stopping means are provided between the two half parts (12, 14) to define a predetermined maximum angular displacement (α) of said two half parts (12, 14). 
20.            Articulated joint (10) according to claim 19, characterised in that said maximum angular displacement (α) is approximately 90°.
21.            Articulated joint (10) according to claim 1, characterised in that said insert (20) are equipped with means for a predetermined positioning on the male end (15), defining a predetermined orientation of said insert (20) on the second half part (14).
22.            Articulated joint (10) according to claims 15 and 21, characterised in that said means for a predetermined positioning comprise a flat abutment surface (30), being orthogonal to the fundamentally flat surface (22) of the insert (20), corresponding to a similar surface formed on the male end (15).
23.            Articulated joint (10) according to claim 1, characterised in that said insert (20) is made integral with said male end (15) through association means.
24.            Articulated joint (10) according to claim 23, characterised in that said association means are of chemical type.
25.            Articulated joint (10) according to claim 23, characterised in that said association means are of mechanical type.
26.            Articulated joint (10) according to claim 1, characterised in that said insert (20) and said male end (15) are integrated enbloc.
abstract
An articulated joint (10) for orthopaedic use, which advantageously allows also predetermined lateral rotations, comprises a first half part (12), equipped with a fork-shaped end (13) with two wings (13a), and a second half part (14), equipped with a male end (15) which can be inserted in the fork (13), said ends (13, 15) being hinged to each other by means of a pin (16) and thus angularly movable around said pin (16), at least one ring-shaped insert (20) being interposed between facing walls of said fork (13) and of said male end (15), said at least one insert (20) being assembled around said pin (16), said insert (20) being equipped with a convex surface (24), of predetermined bending, facing said wing (13a) of the fork (13).
(Fig. 4)
【図１】
2005131404.tif 000008
【図２】
2005131404.tif 000009
【図３】
2005131404.tif 000010
【図４】
2005131404.tif 000011
【図５】
2005131404.tif 000012